(57)【要約】【課題】時分割方式のディスプレイ装置の駆動方法を提供する。【解決手段】ディスプレイ装置の駆動方法は、ピクセルデータに関するそれぞれ３以上の階調レベルを有する複数のサブフレーム階調信号を生成する段階と、サブフレーム階調信号を互いに異なる時間間隔に順次にピクセルに提供する段階と、を含む。【選択図】    図９
2007148400.tif 000002
【特許請求の範囲】
【請求項１】
ビデオデータの入力を受ける段階と、
前記ビデオデータに基づいてＮ（Ｎは、３以上の自然数）個の階調レベルを有する第１乃至第Ｍ（Ｍは、２以上の自然数）サブフレーム階調信号を生成する段階と、
ディスプレイ持続時間が互いに異なる第１乃至第Ｍサブフレームイメージをディスプレイするために、前記第１乃至第Ｍサブフレーム階調信号を前記第１乃至第Ｍサブフレームイメージのディスプレイ持続時間に対応するように順次にピクセルアレイに提供する段階と、を含むディスプレイ装置の駆動方法。
【請求項２】
第Ｋ（Ｋは、２以上Ｍ以下の自然数）サブフレーム階調信号に対応する前記サブフレームイメージディスプレイ時間は、前記第１サブフレーム階調信号に対応する前記サブフレームイメージディスプレイ時間のＮＫ倍であることを特徴とする請求項１記載のディスプレイ装置の駆動方法。
【請求項３】
前記サブフレーム階調信号を提供する段階は、前記第１乃至第Ｍサブフレーム階調信号を前記ピクセルアレイに順次に提供することを特徴とする請求項２記載のディスプレイ装置の駆動方法。
【請求項４】
前記サブフレーム階調信号を提供する段階は、前記第１乃至第Ｍサブフレーム階調信号を前記ピクセルアレイに逆順次に提供することを特徴とする請求項２記載のディスプレイ装置の駆動方法。
【請求項５】
前記第１乃至第Ｍサブフレーム階調信号が有する階調レベルの個数Ｎは、２Ｌ（Ｌは、２以上の自然数）であることを特徴とする請求項１記載のディスプレイ装置の駆動方法。
【請求項６】
前記サブフレーム階調信号を提供する段階は、前記第１乃至第Ｍサブフレーム階調信号を前記ピクセルアレイに順次に提供することを特徴とする請求項５記載のディスプレイ装置の駆動方法。
【請求項７】
前記サブフレーム階調信号を提供する段階は、前記第１乃至第Ｍサブフレーム階調信号を前記ピクセルアレイに逆順次に提供することを特徴とする請求項５記載のディスプレイ装置の駆動方法。
【請求項８】
前記サブフレーム階調信号を提供する段階は、前記各サブフレーム階調信号の以前サブフレームによる前記サブフレームイメージディスプレイ時間が経過した後、前記各サブフレーム階調信号を前記ピクセルアレイに記録することを特徴とする請求項１記載のディスプレイ装置の駆動方法。
【請求項９】
ビデオデータの入力を受ける第１手段と、
前記ビデオデータに基づいてＮ（Ｎは、３以上の自然数）個の階調レベルを有する第１乃至第Ｍ（Ｍは、２以上の自然数）サブフレーム階調信号を生成する第２手段と、
ディスプレイ持続時間が互いに異なる第１乃至第Ｍサブフレームイメージをディスプレイするために、前記第１乃至第Ｍサブフレーム階調信号を前記第１乃至第Ｍサブフレームイメージのディスプレイ持続時間に対応するように順次にピクセルアレイに提供する第３手段と、を含むディスプレイ駆動装置。
【請求項１０】
前記第３手段は、第Ｋ（Ｋは、２以上Ｍ以下の自然数）サブフレーム階調信号に対応する前記サブフレームイメージディスプレイ時間が前記第１サブフレーム階調信号に対応する前記サブフレームイメージディスプレイ時間のＮＫ倍になるように前記第１乃至第Ｍサブフレーム階調信号を前記ピクセルアレイに提供することを特徴とする請求項９記載のディスプレイ駆動装置。
【請求項１１】
前記第３手段は、前記第１乃至第Ｍサブフレーム階調信号を前記ピクセルアレイに順次に提供することを特徴とする請求項１０記載のディスプレイ駆動装置。
【請求項１２】
前記第３手段は、前記第１乃至第Ｍサブフレーム階調信号を前記ピクセルアレイに逆順次に提供することを特徴とする請求項１０記載のディスプレイ駆動装置。
【請求項１３】
前記第２手段は、前記第１乃至第Ｍサブフレーム階調信号が有する階調レベルの個数Ｎが２Ｌ（Ｌは、２以上の自然数）になるように前記第１乃至第Ｍサブフレーム階調信号を生成することを特徴とする請求項９記載のディスプレイ駆動装置。
【請求項１４】
前記第３手段は、前記第１乃至第Ｍサブフレーム階調信号を前記ピクセルアレイに順次に提供することを特徴とする請求項１３記載のディスプレイ駆動装置。
【請求項１５】
前記第３手段は、前記第１乃至第Ｍサブフレーム階調信号を前記ピクセルアレイに逆順次に提供することを特徴とする請求項１３記載のディスプレイ駆動装置。
【請求項１６】
前記第３手段は、前記各サブフレーム階調信号の以前サブフレームによる前記サブフレームイメージディスプレイ時間が経過した後、前記各サブフレーム階調信号を前記ピクセルアレイに記録することを特徴とする請求項９記載のディスプレイ駆動装置。
【請求項１７】
入力されたビデオデータ及びビデオ同期信号に基づいてそれぞれＮ（Ｎは、３以上の自然数）個の階調レベルを有する第１乃至第Ｍ（Ｍは、２以上の自然数）サブフレーム階調データとサブフレーム同期信号を生成するコントローラと、
前記第１乃至第Ｍサブフレーム階調データを第１乃至第Ｍサブフレーム階調信号に変換し、ディスプレイ持続時間が互いに異なる第１乃至第Ｍサブフレームイメージをディスプレイするために、前記第１乃至第Ｍサブフレーム階調信号を前記第１乃至第Ｍサブフレームイメージのディスプレイ持続時間に対応するように順次にピクセルアレイに提供するソース駆動ドライバと、
前記ディスプレイ持続時間に対応して前記第１乃至第Ｍサブフレーム階調信号がピクセルアレイに順次に記録されるように、前記サブフレーム同期信号に応答して前記ピクセルアレイにスキャン信号を前記ピクセルアレイに提供するゲートドライバと、を含むディスプレイ駆動装置。
【請求項１８】
前記コントローラは、
前記入力されたビデオデータを保存するデータメモリと、
前記保存されたビデオデータに基づいて前記第１乃至第Ｍサブフレーム階調データを生成するサブフレームデータ生成器と、
ビデオ同期信号の入力を受けてサブフレーム同期信号を生成するタイミングコントローラと、を含むことを特徴とする請求項１７記載のディスプレイ駆動装置。
【請求項１９】
前記ソース駆動ドライバは、
前記第１乃至第Ｍサブフレーム階調データをライン単位に入力受けるラッチ回路と、
前記ライン単位に入力された前記第１乃至第Ｍサブフレーム階調データを前記第１乃至第Ｍサブフレーム階調信号に変換するＤＡ変換器と、
前記第１乃至第Ｍサブフレーム階調信号を前記ピクセルアレイに提供する出力バッファと、を含むことを特徴とする請求項１７記載のディスプレイ駆動装置。
【請求項２０】
前記出力バッファは、前記第１乃至第Ｍサブフレーム階調信号を順次に提供することを特徴とする請求項１９記載のディスプレイ駆動装置。
【請求項２１】
前記出力バッファは、前記第１乃至第Ｍサブフレーム階調信号を逆順次に提供することを特徴とする請求項１９記載のディスプレイ駆動装置。
【請求項２２】
前記ゲート駆動ドライバは、第Ｋ（Ｋは、２以上Ｍ以下の自然数）サブフレーム階調信号によって前記ピクセルアレイが前記サブフレームイメージをディスプレイする時間が前記第１サブフレーム階調信号によって前記サブフレームイメージをディスプレイする時間のＮＫ倍になるように前記スキャン信号を提供することを特徴とする請求項１７記載のディスプレイ駆動装置。
【請求項２３】
前記第１乃至第Ｍサブフレーム階調信号が有する階調レベルの個数Ｎは、２Ｌ（Ｌは、２以上の自然数）であることを特徴とする請求項２２記載のディスプレイ駆動装置。
【請求項２４】
ビデオデータの入力を受ける段階と、
前記ビデオデータに基づいてＮ（Ｎは、３以上の自然数）個の階調レベルを有する第１乃至第Ｍ（Ｍは、２以上の自然数）サブフレーム階調信号を生成する段階と、
前記第１乃至第Ｍサブフレーム階調信号によって第１乃至第Ｍサブフレームイメージを互いに異なるディスプレイ持続時間を有する第１乃至第Ｍサブフレームイメージのディスプレイ持続時間に対応するように順次にディスプレイする段階と、を含むディスプレイ方法。
【請求項２５】
第Ｋサブフレームイメージをディスプレイする時間は、前記第１サブフレームイメージをディスプレイする時間のＮＫ倍であることを特徴とする請求項２４記載のディスプレイ方法。
【請求項２６】
前記第１乃至第Ｍサブフレームイメージをディスプレイする段階は、前記第１乃至第Ｍサブフレームイメージを順次にディスプレイすることを特徴とする請求項２５記載のディスプレイ方法。
【請求項２７】
前記第１乃至第Ｍサブフレームイメージをディスプレイする段階は、前記第１乃至第Ｍサブフレームイメージを逆順次にディスプレイすることを特徴とする請求項２５記載のディスプレイ方法。
【請求項２８】
前記第１乃至第Ｍ（Ｍは、２以上の自然数）サブフレーム階調信号が有する階調レベルの個数Ｎは、２Ｌ（Ｌは、２以上の自然数）であることを特徴とする請求項２４記載のディスプレイ方法。
【請求項２９】
前記第１乃至第Ｍサブフレームイメージをディスプレイする段階は、前記第１乃至第Ｍサブフレームイメージを順次にディスプレイすることを特徴とする請求項２８記載のディスプレイ方法。
【請求項３０】
前記第１乃至第Ｍサブフレームイメージをディスプレイする段階は、前記第１乃至第Ｍサブフレームイメージを逆順次にディスプレイすることを特徴とする請求項２８記載のディスプレイ方法。
【請求項３１】
ビデオデータの入力を受ける第１手段と、
前記ビデオデータに対してＮ（Ｎは、３以上の自然数）個の階調レベルを有する第１乃至第Ｍ（Ｍは、２以上の自然数）サブフレーム階調信号を生成する第２手段と、
前記第１乃至第Ｍサブフレーム階調信号によって第１乃至第Ｍサブフレームイメージを互いに異なるディスプレイ持続時間を有する第１乃至第Ｍサブフレームイメージのディスプレイ持続時間に対応するように順次にディスプレイする第３手段と、を含むディスプレイ装置。
【請求項３２】
前記第３手段が第Ｋサブフレームイメージをディスプレイする時間は、前記第１サブフレームイメージをディスプレイする時間のＮＫ倍であることを特徴とする請求項３１記載のディスプレイ装置。
【請求項３３】
前記第３手段は、前記第１乃至第Ｍサブフレームイメージを順次にディスプレイすることを特徴とする請求項３２記載のディスプレイ装置。
【請求項３４】
前記第３手段は、前記第１乃至第Ｍサブフレームイメージを逆順次にディスプレイすることを特徴とする請求項３３記載のディスプレイ装置。
【請求項３５】
前記第２手段は、前記第１乃至第Ｍサブフレーム階調信号が有する階調レベルの個数Ｎは、２Ｌ（Ｌは、２以上の自然数）になるように前記第１乃至第Ｍサブフレーム階調信号を生成することを特徴とする請求項３１記載のディスプレイ装置。
【請求項３６】
前記第３手段は、前記第１乃至第Ｍサブフレームイメージを順次にディスプレイすることを特徴とする請求項３５記載のディスプレイ装置。
【請求項３７】
前記第３手段は、前記第１乃至第Ｍサブフレームイメージを逆順次にディスプレイすることを特徴とする請求項３５記載のディスプレイ装置。
【請求項３８】
ピクセルアレイと、
入力されたビデオデータに対してそれぞれＮ（Ｎは、３以上の自然数）個の階調レベルを有する第１乃至第Ｍ（Ｍは、２以上の自然数）サブフレーム階調データとサブフレーム同期信号を生成するコントローラと、
前記第１乃至第Ｍサブフレーム階調データを第１乃至第Ｍサブフレーム階調信号に変換し、ディスプレイ持続時間が互いに異なる第１乃至第Ｍサブフレームイメージをディスプレイするために、前記第１乃至第Ｍサブフレーム階調信号を前記第１乃至第Ｍサブフレームイメージのディスプレイ持続時間に対応するように順次にピクセルアレイに提供するソース駆動ドライバと、
前記ディスプレイ持続時間に対応して前記第１乃至第Ｍサブフレーム階調信号がピクセルアレイに順次に記録されるように、前記サブフレーム同期信号に応答して前記ピクセルアレイにスキャン信号を前記ピクセルアレイに提供するゲートドライバと、を含むディスプレイ装置。
【請求項３９】
前記コントローラは、
前記入力されたビデオデータを保存するデータメモリと、
前記保存されたビデオデータに基づいて前記第１乃至第Ｍサブフレーム階調データを生成するサブフレームデータ生成器と、
ビデオ同期信号の入力を受けてサブフレーム同期信号を生成するタイミングコントローラと、を含むことを特徴とする請求項３８記載のディスプレイ装置。
【請求項４０】
前記ソース駆動ドライバは、前記第１乃至第Ｍサブフレーム階調データをライン単位に入力受けるラッチ回路と、
前記ライン単位に入力された前記第１乃至第Ｍサブフレーム階調データを前記第１乃至第Ｍサブフレーム階調信号に変換するＤＡ変換器と、
前記第１乃至第Ｍサブフレーム階調信号を前記ピクセルアレイに提供する出力バッファと、を含むことを特徴とする請求項３８記載のディスプレイ装置。
【請求項４１】
前記出力バッファは、前記第１乃至第Ｍサブフレーム階調信号を順次に提供することを特徴とする請求項４０記載のディスプレイ装置。
【請求項４２】
前記出力バッファは、前記第１乃至第Ｍサブフレーム階調信号を逆順次に提供することを特徴とする請求項４０記載のディスプレイ装置。
【請求項４３】
前記第１乃至第Ｍ（Ｍは、２以上の自然数）サブフレーム階調信号が有する階調レベルの個数Ｎは、２Ｌ（Ｌは、２以上の自然数）であることを特徴とする請求項４０記載のディスプレイ装置。
【請求項４４】
前記出力バッファは、前記第１乃至第Ｍサブフレーム階調信号を順次に提供することを特徴とする請求項４３記載のディスプレイ装置。
【請求項４５】
前記出力バッファは、前記第１乃至第Ｍサブフレーム階調信号を逆順次に提供することを特徴とする請求項４３記載のディスプレイ装置。
【請求項４６】
前記ゲート駆動ドライバは、第Ｋ（Ｋは、２以上Ｍ以下の自然数）サブフレーム階調信号によって前記ピクセルアレイが前記サブフレームイメージをディスプレイする時間が前記第１サブフレーム階調信号によって前記サブフレームイメージをディスプレイする時間のＮＫ倍になるように前記スキャン信号を提供することを特徴とする請求項４０記載のディスプレイ装置。
【請求項４７】
前記第１乃至第Ｍサブフレーム階調信号が有する階調レベルの個数Ｎは、２Ｌ（Ｌは、２以上の自然数）であることを特徴とする請求項４６記載のディスプレイ装置。
【請求項４８】
前記ピクセルアレイは、アクティブマトリックス有機発光ダイオード（ＯＬＥＤ）ディスプレイ方式で第１乃至第Ｍサブフレームイメージをディスプレイすることを特徴とする請求項３８記載のディスプレイ装置。
【発明の詳細な説明】
【技術分野】
【０００１】
本発明はディスプレイ装置に係り、より詳細には、ディスプレイ駆動装置及びディスプレイ装置の駆動方法に関する。
【背景技術】
【０００２】
次世代平板ディスプレイ分野で有機発光ダイオード（ＯＬＥＤ）ディスプレイ装置が注目されている。
【０００３】
一般に、有機発光ダイオードディスプレイ装置は、有機発光ダイオード素子を駆動する方式によって、受動マトリックス方式と能動マトリックス方式とに分けられる。消費電力及びイメージ品質側面で電圧又は電流の大きさで素子の輝度を調節する能動マトリックス方式が、駆動信号のデューティ比で輝度を調節する受動マトリックス方式に対して優秀である。
【０００４】
能動マトリックス有機発光ダイオードディスプレイ装置を開発するにおいて、パネルにピクセル回路を製作する時に使用される基本素子であるＴＦＴの特性が問題になる場合が多い。
【０００５】
例えば、非晶質シリコンバックパネルで製作される能動マトリックス有機発光ダイオードディスプレイ装置の場合に、ＴＦＴの臨界電圧特性が時間が経過するにつれて変わる。又、低温ポリシリコンバックパネルで製作される能動マトリックス有機発光ダイオードディスプレイ装置の場合に、パネル上のＴＦＴの位置によって臨界電圧特性が異なる。即ち、非晶質シリコンタイプのバックパネルを使用する場合に安定性が問題になり、低温ポリシリコンタイプのバックパネルを使用する場合に単一性が問題になる。
【０００６】
このような問題点を解決するために、パネル分野で多くの研究が行われてきた。しかし、パネル製造工程やパネル回路のみでこのような問題を完全に解決することはできない。このような問題点を解決するために、デジタル駆動方式が導入された。
【０００７】
デジタル駆動方式としては、大きく２種類の方式が知られている。そのうちの１つは、ピクセルが発光する時間比でピクセルの明るさを調節するＴＲＧ（ｔｉｍｅ  ｒａｔｉｏ  ｇｒａｙ−ｓｃａｌｅ）方式で、他の１つは、ピクセルの発光面積比でピクセルの明るさを調節するＡＲＧ（ａｒｅａ  ｒａｔｉｏ  ｇｒａｙ−ｓｃａｌｅ）方式である。ＴＲＧ方式に関しては特許文献１に開示されており、ＡＲＧ方式に関しては非特許文献１に開示されている。
【特許文献１】米国公開特許第２００４−２７３１８号
【非特許文献１】Ｔｅｃｈｎｏｌｏｇｙ  ｆｏｒ  ａｃｔｉｖｅ  ｍａｔｒｉｘ  ｌｉｇｈｔ  ｅｍｉｔｔｉｎｇ  ｐｏｌｙｍｅｒ  ｄｉｓｐｌａｙｓ（Ｔ．Ｓｈｉｍｏｄａ等が１９９９年ＩＥＤＭに発表）
【０００８】
図１及び図２を参照してＴＲＧ方式を説明し、図３を参照してＡＲＧ方式を説明する。
【０００９】
図１は、従来のＴＲＧ方式で駆動されるディスプレイ装置のピクセルの構造を示す回路図である。
【００１０】
ピクセルは、スイッチトランジスタ１１０、セルキャパシタ１２０、駆動トランジスタ１３０、及び発光素子１４０を含む。
【００１１】
スイッチトランジスタ１１０のゲートは、スキャンライン１６０と連結される。スイッチトランジスタ１１０は、スキャンライン１６０を介して伝達されるゲート信号によってターンオンされるか、ターンオフされる。スイッチトランジスタ１１０がターンオンされると、データライン１５０を介してデジタル信号がセルキャパシタ１２０に伝達される。
【００１２】
駆動トランジスタ１３０のゲートは、セルキャパシタ１２０の１端子と連結される。駆動トランジスタ１３０は、セルキャパシタ１２０の電圧によってターンオンされるか、ターンオフされる。駆動トランジスタ１３０がターンオンされると、発光素子１４０に電流が流れ、ターンオフされると、発光素子１４０に電流が流れない。
【００１３】
発光素子１４０は、発光ポリマを利用して実現した有機発光ダイオード（ＯＬＥＤ）で、発光素子１４０は電流に比例して発光する。このようなピクセルが表現できる階調レベルは２つである。より多様な階調レベルを表示するために、ＴＲＧ方式が使用される。
【００１４】
図２は、時分割方式で１６の階調レベルを有するようにディスプレイする方法を示している。ピクセルアレイの１つの行は、共通のスキャンラインに連結された複数のピクセルを含み、同じ行に属するそれぞれのピクセルは、互いに異なるデータラインを介してピクセルデータを受信する。図２には、各行に対してそれぞれ１つのピクセルデータをディスプレイする方法が図示されている。同じ行に属する他のピクセルは、それぞれのデータラインを介して同じ方式で駆動することができる。各ピクセルの階調レベルを１６段階で表現するために、各ピクセルデータに対するディスプレイ時間を４つのサブフレームに分けることができる。例えば、第１サブフレーム２１０と第２サブフレーム２２０と第３サブフレーム２３０及び第４サブフレーム２４０の長さをそれぞれ８：４：２：１とする。
【００１５】
サブフレーム２１０、２２０、２３０、２４０は、それぞれアドレッシング区間２１１、２２１、２３１、２４１と発光区間２１２、２２２、２３２、２４２とを含む。アドレッシング区間でサブフレーム信号がピクセルのセルキャパシタに記録され、発光区間でサブフレーム信号によってピクセルが発光するか、発光しない。サブフレーム信号は、ハイ又はローの２つのステイトを有する。
【００１６】
各発光区間の時間の長さは、従来の方法によって調節することができる。例えば、動作トランジスタ１３０と発光素子１４０とで形成された電流経路上にスイッチング素子を連結して調節することもでき、発光素子１４０の１端子を接地電圧と電源電圧（ＶＤＤ）とに交互に連結するタイミングを制御して調節することもできる。
【００１７】
図２は、互いに異なるスキャンラインと連結された４つのピクセルを駆動して階調レベルを表示する方法を示している。互いに異なる行の４つのピクセルは、それぞれ第１乃至第４スキャンラインによって選択される。図２の例において、第１行のピクセルは階調レベルが１５で、第２行のピクセルは階調レベルが０で、第３行のピクセルは階調レベルが３で、第４行のピクセルは階調レベルが１１である。
【００１８】
階調レベル１５を有する第１行のピクセルデータを表現するために、第１乃至第４サブフレーム２１０、２２０、２３０、２４０のデータは、それぞれ１、１、１、１を有する。階調レベル０を有する第２行のピクセルデータを表現するために、第１乃至第４サブフレーム２１０、２２０、２３０、２４０の階調データは、それぞれ０、０、０、０を有する。階調レベル３を有する第３行のピクセルデータを表現するために、第１乃至第４サブフレーム２１０、２２０、２３０、２４０の階調データは、それぞれ０、０、１、１を有する。階調レベル１１を有する第１行のピクセルデータを表現するために、第１乃至第４サブフレーム２１０、２２０、２３０、２４０の階調データは、それぞれ１、０、１、１を有する。
【００１９】
このようなＴＲＧ方式は、階調レベルの数が増加するほど、サブフレームの個数が増加する。例えば、２５６階調レベルを有するデータを表示しようとすれば、合計８つのサブフレームが必要である。この場合に、サブフレームの数に比例してキャパシタを充電して放電する回数が増加する。従って、多くの電力が消費されるという問題点を有する。
【００２０】
図３は、従来のＡＲＧ方式で駆動されるディスプレイ装置のピクセルの構造を示している回路図である。
【００２１】
ＡＲＧ方式で駆動されるディスプレイ装置において、１つのピクセルは複数のサブピクセル３１０、３２０、３３０、３４０、３５０、３６０で構成される。各サブピクセルは、スイッチングトランジスタと、ストレージキャパシタとドライビングトランジスタ及び１つ又は２つの発光素子を含む。
【００２２】
サブピクセルはスキャンラインを共有する。従って、スキャンラインによってピクセルが選択されると、サブピクセル３１０、３２０、３３０、３４０、３５０、３６０のスイッチングトランジスタはターンオンされる。スキャンラインによってピクセルが選択されると、各サブピクセル３１０、３２０、３３０、３４０、３５０、３６０のストレージキャパシタには、それぞれの信号ラインを介してサブピクセル信号が記録される。サブピクセル３１０、３２０、３３０はそれぞれ２つの発光素子を含むが、サブピクセル３４０、３５０、３６０は１つの発光素子を含む。
【００２３】
このように、面積に対する加重値を異なるようにして階調レベルを表示するＡＲＧ方式は、開口率が低くなり、高い輝度を示すためには、多数の発光素子に多くの電流を流さなければならないという問題点がある。
【発明の開示】
【発明が解決しようとする課題】
【００２４】
本発明は、前述した問題点を解決するためのものであって、ディスプレイパネル上の位置によるピクセルの特性の差異や時間が経過するにつれて変わるピクセルの特性変化に鈍感でありながらも、少ない個数のサブフレームでディスプレイ装置を駆動する方法及びこのための装置を提供することをその目的とする。
【００２５】
又、本発明の他の目的は、ディスプレイパネル上の位置によるピクセル特性の差異や時間が経過するにつれて変わるピクセルの特性変化に鈍感でありながらも、少ない個数のサブフレームで駆動されるディスプレイ方法及び装置を提供することにある。
【００２６】
しかし、以上の目的は、例示的なもので、本発明の目的はこれに限定されない。
【課題を解決するための手段】
【００２７】
前述した目的を達成するために、本発明の一実施例によるディスプレイ装置の駆動方法は、ビデオデータの入力を受ける段階と、前記ビデオデータに基づいてＮ（Ｎは、３以上の自然数）個の階調レベルを有する第１乃至第Ｍ（Ｍは、２以上の自然数）サブフレーム階調信号を生成する段階と、ディスプレイ持続時間が互いに異なる第１乃至第Ｍサブフレームイメージをディスプレイするために、前記第１乃至第Ｍサブフレーム階調信号を前記第１乃至第Ｍサブフレームイメージのディスプレイ持続時間に対応するように順次にピクセルアレイに提供する段階と、を含む。
【００２８】
第Ｋ（Ｋは、２以上Ｍ以下の自然数）サブフレーム階調信号に対応する前記サブフレームイメージディスプレイ時間は、前記第１サブフレーム階調信号に対応する前記サブフレームイメージディスプレイ時間のＮＫ倍になるようにサブフレーム階調信号を生成することができる。このような第１乃至第Ｍサブフレーム階調信号を前記ピクセルアレイに順次に提供することもでき、逆順次に提供することもできる。
【００２９】
前記第１乃至第Ｍサブフレーム階調信号が有する階調レベルの個数Ｎは、２Ｌ（Ｌは、２以上の自然数）であり得る。
【００３０】
前述した目的を達成するために、本発明の一実施例によるディスプレイ駆動装置は、ビデオデータの入力を受ける第１手段と、  前記ビデオデータに基づいてＮ（Ｎは、３以上の自然数）個の階調レベルを有する第１乃至第Ｍ（Ｍは、２以上の自然数）サブフレーム階調信号を生成する第２手段と、ディスプレイ持続時間が互いに異なる第１乃至第Ｍサブフレームイメージをディスプレイするために、前記第１乃至第Ｍサブフレーム階調信号を前記第１乃至第Ｍサブフレームイメージのディスプレイ持続時間に対応するように順次にピクセルアレイに提供する第３手段と、を含む。
【００３１】
前記第３手段は、第Ｋ（Ｋは、２以上Ｍ以下の自然数）サブフレーム階調信号に対応する前記サブフレームイメージディスプレイ時間が前記第１サブフレーム階調信号に対応する前記サブフレームイメージディスプレイ時間のＮＫ倍になるように前記第１乃至第Ｍサブフレーム階調信号を前記ピクセルアレイに提供することができる。又、前記第３手段は、前記第１乃至第Ｍサブフレーム階調信号を前記ピクセルアレイに順次に提供するか、逆順次に提供することができる。
【００３２】
前記第２手段は、前記第１乃至第Ｍサブフレーム階調信号が有する階調レベルの個数Ｎが２Ｌ（Ｌは、２以上の自然数）になるように前記第１乃至第Ｍサブフレーム階調信号を生成することができる。
【００３３】
前述した目的を達成するために、本発明の他の実施例によるディスプレイ駆動装置は、入力されたビデオデータ及びビデオ同期信号に基づいてそれぞれＮ（Ｎは、３以上の自然数）個の階調レベルを有する第１乃至第Ｍ（Ｍは、２以上の自然数）サブフレーム階調データとサブフレーム同期信号を生成するコントローラと、前記第１乃至第Ｍサブフレーム階調データを第１乃至第Ｍサブフレーム階調信号に変換し、ディスプレイ持続時間が互いに異なる第１乃至第Ｍサブフレームイメージをディスプレイするために、前記第１乃至第Ｍサブフレーム階調信号を前記第１乃至第Ｍサブフレームイメージのディスプレイ持続時間に対応するように順次にピクセルアレイに提供するソース駆動ドライバと、前記ディスプレイ持続時間に対応して前記第１乃至第Ｍサブフレーム階調信号がピクセルアレイに順次に記録されるように、前記サブフレーム同期信号に応答して前記ピクセルアレイにスキャン信号を前記ピクセルアレイに提供するゲートドライバと、を含む。
【００３４】
前記コントローラは、前記入力されたビデオデータを保存するデータメモリと、前記保存されたビデオデータに基づいて前記第１乃至第Ｍサブフレーム階調データを生成するサブフレームデータ生成器と、ビデオ同期信号の入力を受けてサブフレーム同期信号を生成するタイミングコントローラと、を含むことができる。
【００３５】
前記ソース駆動ドライバ（即ち、データドライバ）は、前記第１乃至第Ｍサブフレーム階調データをライン単位に入力受けるラッチ回路と、前記ライン単位に入力された前記第１乃至第Ｍサブフレーム階調データを前記第１乃至第Ｍサブフレーム階調信号に変換するＤＡ変換器と、前記第１乃至第Ｍサブフレーム階調信号を前記ピクセルアレイに提供する出力バッファと、を含むことができる。前記出力バッファは、前記第１乃至第Ｍサブフレーム階調信号を順次に提供するか、逆順次に提供することができる。
【００３６】
前記ゲート駆動ドライバは、第Ｋ（Ｋは、２以上Ｍ以下の自然数）サブフレーム階調信号によって前記ピクセルアレイが前記サブフレームイメージをディスプレイする時間が前記第１サブフレーム階調信号によって前記サブフレームイメージをディスプレイする時間のＮＫ倍になるように前記スキャン信号を提供することができる。前記第１乃至第Ｍサブフレーム階調信号が有する階調レベルの個数Ｎは、２Ｌ（Ｌは、２以上の自然数）であり得る。
【００３７】
前述した目的を達成するために、本発明の一実施例によるディスプレイ方法は、ビデオデータの入力を受ける段階と、前記ビデオデータに基づいてＮ（Ｎは、３以上の自然数）個の階調レベルを有する第１乃至第Ｍ（Ｍは、２以上の自然数）サブフレーム階調信号を生成する段階と、前記第１乃至第Ｍサブフレーム階調信号によって第１乃至第Ｍサブフレームイメージを互いに異なるディスプレイ持続時間を有する第１乃至第Ｍサブフレームイメージのディスプレイ持続時間に対応するように順次にディスプレイする段階と、を含む。
【００３８】
第Ｋサブフレームイメージをディスプレイする時間は、前記第１サブフレームイメージをディスプレイする時間のＮＫ倍であり得る。  又、前記第１乃至第Ｍサブフレームイメージをディスプレイする段階は、前記第１乃至第Ｍサブフレームイメージを順次にディスプレイするか、逆順次にディスプレイすることができる。
【００３９】
前記第１乃至第Ｍ（Ｍは、２以上の自然数）サブフレーム階調信号が有する階調レベルの個数Ｎは、２Ｌ（Ｌは、２以上の自然数）であり得る。
【００４０】
前述した目的を達成するために、本発明の一実施例によるディスプレイ装置は、ビデオデータの入力を受ける第１手段と、前記ビデオデータに対してＮ（Ｎは、３以上の自然数）個の階調レベルを有する第１乃至第Ｍ（Ｍは、２以上の自然数）サブフレーム階調信号を生成する第２手段と、前記第１乃至第Ｍサブフレーム階調信号によって第１乃至第Ｍサブフレームイメージを互いに異なるディスプレイ持続時間を有する第１乃至第Ｍサブフレームイメージのディスプレイ持続時間に対応するように順次にディスプレイする第３手段と、を含む。
【００４１】
前記第３手段が第Ｋサブフレームイメージをディスプレイする時間は、前記第１サブフレームイメージをディスプレイする時間のＮＫ倍であり得る。前記第３手段は、前記第１乃至第Ｍサブフレームイメージを順次にディスプレイするか、逆順次にディスプレイすることができる。
【００４２】
前記第２手段は、前記第１乃至第Ｍサブフレーム階調信号が有する階調レベルの個数Ｎは、２Ｌ（Ｌは、２以上の自然数）になるように前記第１乃至第Ｍサブフレーム階調信号を生成することができる。
【００４３】
前述した目的を達成するために、本発明の他の実施例によるディスプレイ装置は、ピクセルアレイと、入力されたビデオデータに対してそれぞれＮ（Ｎは、３以上の自然数）個の階調レベルを有する第１乃至第Ｍ（Ｍは、２以上の自然数）サブフレーム階調データとサブフレーム同期信号を生成するコントローラと、前記第１乃至第Ｍサブフレーム階調データを第１乃至第Ｍサブフレーム階調信号に変換し、ディスプレイ持続時間が互いに異なる第１乃至第Ｍサブフレームイメージをディスプレイするために、前記第１乃至第Ｍサブフレーム階調信号を前記第１乃至第Ｍサブフレームイメージのディスプレイ持続時間に対応するように順次にピクセルアレイに提供するソース駆動ドライバと、前記ディスプレイ持続時間に対応して前記第１乃至第Ｍサブフレーム階調信号がピクセルアレイに順次に記録されるように、前記サブフレーム同期信号に応答して前記ピクセルアレイにスキャン信号を前記ピクセルアレイに提供するゲートドライバと、を含む。前記コントローラは、前記入力されたビデオデータを保存するデータメモリと、前記保存されたビデオデータに基づいて前記第１乃至第Ｍサブフレーム階調データを生成するサブフレームデータ生成器と、ビデオ同期信号の入力を受けてサブフレーム同期信号を生成するタイミングコントローラと、を含むことができる。
【００４４】
前記ソース駆動ドライバは、前記第１乃至第Ｍサブフレーム階調データをライン単位に入力を受けるラッチ回路と、前記ライン単位に入力された前記第１乃至第Ｍサブフレーム階調データを前記第１乃至第Ｍサブフレーム階調信号に変換するＤＡ変換器と、前記第１乃至第Ｍサブフレーム階調信号を前記ピクセルアレイに提供する出力バッファと、を含むことができる。前記出力バッファは、前記第１乃至第Ｍサブフレーム階調信号を順次に提供するか、逆順次に提供することができる。
【００４５】
前記ゲート駆動ドライバは、第Ｋ（Ｋは、２以上Ｍ以下の自然数）サブフレーム階調信号によって前記ピクセルアレイが前記サブフレームイメージをディスプレイする時間が前記第１サブフレーム階調信号によって前記サブフレームイメージをディスプレイする時間のＮＫ倍になるように前記スキャン信号を提供することができる。前記第１乃至第Ｍサブフレーム階調信号が有する階調レベルの個数Ｎは、２Ｌ（Ｌは、２以上の自然数）であり得る。
【００４６】
前記ピクセルアレイは、アクティブマトリックス有機発光ダイオード（ＯＬＥＤ）ディスプレイ方式で第１乃至第Ｍサブフレームイメージをディスプレイすることができる。
【００４７】
従って、少ない個数のサブフレームで階調レベルを表現することができる。
【００４８】
本文に開示している本発明の実施例において、特定の構造的乃至機能的説明は、ただ本発明の実施例を説明するための目的として例示されたものであって、本発明の実施例は、多様な形態で実施することができ、本文に説明した実施例に限定されることはない。
【００４９】
本発明は、多様な変更を加えることができ、多様な形態を有することができ、特定の実施例を図面に例示し、本文で詳細に説明する。しかし、これは、本発明を特定の開示形態に対して限定するものではなく、本発明の思想及び技術範囲に含まれる全ての変更、均等物乃至代替物を含むものと理解すべきである。各図面を説明しながら類似の参照符号を構成要素に付与した。
【００５０】
第１、第２などの用語は、多様な構成要素を説明するのに用いることができるが、構成要素は用語によって限定されてはならない。用語は、一つの構成要素を他の構成要素から区別する目的としてのみ用いられる。例えば、本発明の権利範囲から離脱しないまま、第１構成要素は第２構成要素として命名することができ、同様に第２構成要素も第１構成要素として命名することができる。
【００５１】
本明細書中で用いた用語は、ただ特定の実施例を説明するために盛り込まれるものであって、本発明を限定しようとする意図ではない。単数の表現は、文脈上明確に異なるように意味しない限り、複数の表現を含む。本出願において、「含む」または「有する」などの用語は、説示した特徴、数字、段階、動作、構成要素、部分品またはこれらを組み合わせたものの存在または付加可能性を予め排除しないと理解すべきである。
【００５２】
異なるものとして定義しない限り、技術的であるか科学的な用語を含めてここで用いられる全ての用語は、本発明が属する技術分野において通常の知識を有する者によって一般的に理解されるものと同一の意味を有している。一般的に用いられる辞典に定義されているもののような用語は、関連技術の文脈上で有する意味と一致する意味を有すると解釈すべきであり、本出願で明白に定義されない限り、異常的であるか過度に形式的な意味で解釈されない。
【発明を実施するための最良の形態】
【００５３】
以下、添付図面を参照して、本発明の好ましい実施例をより詳細に説明する。
【００５４】
図４は、本発明の一実施例によるディスプレイ装置の構成を示すブロック図である。
【００５５】
ディスプレイ装置は、大きくディスプレイパネルとこれを駆動するためのディスプレイ装置の駆動回路を含む。
【００５６】
ディスプレイ装置の駆動回路は、コントローラ４１０、データドライバ４２０、及びゲートドライバ４３０を含む。ディスプレイパネルはピクセルアレイ４４０を含み、データドライバ４２０又はゲートドライバ４３０の一部構成要素を含むこともできる。
【００５７】
コントローラ４１０は、ホスト装置からビデオ信号を受信する。ビデオ信号は、複数のピクセルデータを含むビデオデータとビデオ同期信号とを含む。コントローラ４１０は、受信されたビデオ信号に対応するサブフレーム階調データとサブフレーム同期信号とを生成する。
【００５８】
例えば、ピクセルアレイ４４０がｍ×ｎ個のピクセルを有する場合、コントローラ４１０はｍ×ｎ個のピクセルのそれぞれに対して、Ｍ（Ｍは、２以上の自然数）個のサブフレーム階調データを生成する。生成された第１乃至第Ｍサブフレーム階調データは、データドライバ４２０に提供される。
【００５９】
データドライバ４２０はカラムドライバとも呼ばれるが、コントローラ４１０から第１乃至第Ｍサブフレーム階調データを受けて、第１乃至第Ｍサブフレーム階調信号を生成する。
【００６０】
ゲートドライバ４３０はサブフレーム同期信号に応答して、第１乃至第Ｍサブフレーム階調信号がピクセルアレイ４１０に順次に記録されるようにスキャン信号を提供する。
【００６１】
ピクセルアレイ４４０は、複数のピクセルで構成される。一実施例において、各ピクセルは、直接発光する有機発光ダイオードを含む。しかし、ピクセルアレイ４４０がサブフレーム階調信号によってサブフレームイメージをディスプレイする方式は、有機発光ダイオードディスプレイ方式に限定されるものではなく、液晶ディスプレイ方式も可能である。
【００６２】
図５は、図４のデータドライバの構成を示すブロック図である。
【００６３】
データドライバは、ラッチ回路５１０とデジタル−アナログ変換器（ＤＡＣ）５２０及び出力バッファ５３０を含む。
【００６４】
ラッチ回路５１０は、サブフレーム階調データをライン単位に入力として受ける。このために、ラッチ回路５１０は、データラッチ５１１、シフトレジスタ５１２及びラインラッチ５１３を含むことができる。サブフレーム階調データは、Ｎ（Ｎは、３以上の自然数）個の階調レベルを有する。例えば、サブフレーム階調データは、２Ｌ（Ｌは、２以上の自然数）の階調レベルを有することができる。この場合に、１つのピクセルに対するサブフレーム階調データは、それぞれＬビットを有するＲ、Ｇ、Ｂ信号として表現することができる。
【００６５】
データラッチ５１１は、サブフレーム階調データをラインラッチ５１３に提供する。シフトレジスタ５１２は、第１ラインから第ｎラインまで順次にラッチイネイブル信号をラインラッチ５１３に提供する。
【００６６】
ラインラッチ５１３は、サブフレーム階調データをライン単位にＤＡＣ５２０に提供する。
【００６７】
ＤＡ変換機５２０は、基準バイアス回路５４０の基準バイアス電圧又は電流によってサブフレーム階調データをサブフレーム階調信号に変換する。基準バイアス電圧又は電流は、ガンマ補正されたガンマ電圧又はガンマ電流であり得る。
【００６８】
出力バッファ５３０は、ゲートドライバのスキャン信号によってサブフレーム階調信号をピクセルアレイに提供する。
【００６９】
図６は、図４のゲートドライバの構成を示すブロック図である。
【００７０】
ゲートドライバは、サブフレーム同期信号に応答して、ピクセルアレイにスキャン信号を提供する。サブフレーム同期信号は、サブフレーム開始パルス形態でゲートドライバに提供することができる。ゲートドライバは、サブフレーム開始パルスを利用してスキャン信号を生成するために、シフトレジスタ６１０とレベルシフタ６２０及び出力バッファ６３０を含むことができる。
【００７１】
シフトレジスタ６１０はサブフレーム開始パルスの入力を受け、サブフレーム開始パルスをシフトさせながら、第１ゲートラインから第ｍゲートラインのためのスキャンデータを順次に出力する。
【００７２】
レベルシフタ６２０は、スキャンデータの電圧がピクセルアレイのスキャンラインを駆動するに充分な程度にレベルシフティングしてスキャン信号を出力する。
【００７３】
出力バッファ６３０は、スキャン信号をバッファリングしてピクセルアレイに提供する。
【００７４】
図７は、図４のコントローラの構成を示すブロック図である。
【００７５】
コントローラ４１０は、ビデオ信号に含まれたピクセルデータの入力を受けて保存するデータメモリ７１０と保存されたそれぞれのピクセルデータに基づいて第１乃至第Ｍサブフレーム階調データを生成するサブフレームデータ生成器７２０及びビデオ同期信号の入力を受けてサブフレーム同期信号（例えば、サブフレーム開始パルス）を生成するタイミングコントローラ７３０を含む。
【００７６】
一実施例において、データメモリ７１０に保存されるビデオデータは、ＲＧＢフォーマットのビデオデータであり得る。例えば、１つのピクセルデータは２４ビットで、１つのピクセルデータに含まれたＲデータ、Ｇデータ、Ｂデータは、それぞれ８ビットのデータであり得る。しかし、データメモリ７１０に保存されるピクセルデータは、ＲＧＢフォーマットに限定されず、ＹＣｂＣｒフォーマットのデータでも良い。
【００７７】
サブフレームデータ生成器７２０は、１つのピクセルデータからＭ（Ｍは、２以上の自然数）個のサブフレーム階調データを生成する。各サブフレーム階調データは、Ｎ（Ｎは、３以上の自然数）個の階調レベルを有する。一実施例において、各サブフレーム階調データは、２Ｌ（Ｌは、２以上の自然数）の階調レベルを有することができる。この場合に、各サブフレーム階調データはＬビットの大きさを有する。
【００７８】
例えば、Ｍが４である場合に、サブフレームデータ生成器７２０は、１つのピクセルデータから１つのピクセルのための第１乃至第４サブフレーム階調データを生成する。例えば、Ｒデータが「１１００１００１」である場合に、Ｒデータに対する第１サブフレーム階調データは「１１」で、第２サブフレーム階調データは「００」で、第３サブフレーム階調データは「１０」で、第４サブフレーム階調データは「０１」であり得る。即ち、各サブフレーム階調データは４つの階調レベルを有し、第１乃至第４サブフレーム階調データによるピクセルの発光時間は６４：１６：４：１になる。
【００７９】
例えば、Ｍが２である場合に、サブフレームデータ生成器７２０は、１つのピクセルデータから１つのピクセルのための第１乃至第２サブフレーム階調データを生成する。例えば、Ｒデータが「１１００１００１」である場合に、Ｒデータに対する第１サブフレーム階調データは「１１００」で、第２サブフレーム階調データは「１００１」であり得る。即ち、各サブフレーム階調データは１６つの階調レベルを有し、第１及び第２サブフレーム階調データによるピクセルの発光時間は１６：１になる。ＧデータとＢデータに対するサブフレーム階調データも同様に生成することができる。
【００８０】
タイミングコントローラ７３０は、ビデオ同期信号（垂直同期信号、水平同期信号、ドットクロック等）の入力を受け、サブフレーム同期信号を生成する。例えば、タイミングコントローラ７３０は、サブフレーム開始パルスとトランスファイネイブル信号を生成する。
【００８１】
図８は、図４のピクセルアレイを構成するピクセルの構造を示す回路図である。
【００８２】
ピクセルアレイのピクセル構造は、多様な形態が可能である。例えば、図８のピクセル構造は、図１の従来のピクセルと同じ構造を有することができる。
【００８３】
ピクセルは、スイッチトランジスタ８１０、セルキャパシタ８２０、駆動トランジスタ８３０、及び発光素子８４０を含む。
【００８４】
スイッチトランジスタ８１０のゲートは、スキャンライン８６０と連結される。スイッチトランジスタ８１０は、スキャンライン８６０を通じて伝達されるゲート信号によってターンオンされるか、ターンオフされる。スイッチトランジスタ８１０がターンオンされると、データライン８５０を通じてサブフレーム階調信号がセルキャパシタ８２０に伝達される。即ち、図１のピクセルでセルキャパシタ１２０に伝達される信号は、２つの階調レベルのみを有するが、本発明の実施例によるサブフレームの階調信号は、３つ以上の階調レベルを有する。
【００８５】
駆動トランジスタ８３０のゲートは、セルキャパシタ８２０の１端子と連結される。駆動トランジスタ８３０は、セルキャパシタ８２０の電圧によって流す電流の大きさが変わる。駆動トランジスタ８３０が流す電流の大きさが増加すると、発光素子８４０が出す光の強度が強くなり、駆動トランジスタ８３０が流す電流の大きさが減少すると、発光素子８４０が出す光の強度が小さくなる。
【００８６】
発光素子８４０は、発光ポリマを利用して実現した有機発光ダイオード（ＯＬＥＤ）で、発光素子８４０は電流に比例して発光する。このような図８のピクセルが表現することができる階調レベルは３つ以上で、より多様な階調レベルを表示するためにＴＲＧ方式を共に使用することができる。
【００８７】
図８は、アクティブマトリックス有機発光ダイオード型ピクセルアレイを例示的に示しているが、本発明はこれに限定されない。例えば、ビデオデータをサブフレーム階調データに分ける技術は、バックライトと液晶とを含む液晶表示装置にも適用することができる。
【００８８】
以下では、ビデオデータをサブフレーム階調データに分けてディスプレイ装置を駆動する方式を説明する。
【００８９】
図９乃至図１２を参照して、サブフレーム階調信号の階調レベルが４つである場合を例示的に説明する。
【００９０】
図９は、０から６３までの６４個階調レベルを表現する６ビットのビデオデータ（即ち、１つのピクセルデータ）を３つのサブフレーム階調信号で表現した場合を示している。説明の便宜上、１つのスキャンラインに対応する複数のピクセルのうち、１つのピクセルを例として挙げて、互いに異なるスキャンラインと連結された４つのピクセルを駆動する過程を説明する。
【００９１】
第１行のビデオデータは「１１１１１１」で、第２行のビデオデータは「００００１０」で、第３行のビデオデータは「０１００１１」で、第４行のビデオデータは「１００１００」である。
【００９２】
第１行のビデオデータに対する第１乃至第３サブフレーム階調データは、いずれも「１１」である。第２行のビデオデータに対する第１乃至第３サブフレーム階調データは、それぞれ「００」と「００」及び「１０」である。第３行のビデオデータに対する第１乃至第３サブフレーム階調データは、それぞれ「０１」と「００」及び「１１」である。第４行のビデオデータに対する第１乃至第３サブフレーム階調データは、それぞれ「１０」と「０１」及び「００」である。
【００９３】
図９において、第１乃至第３サブフレーム階調信号は、順次にピクセルアレイに提供される。従って、第１区間９１０は第１サブフレーム階調信号のための区間で、第２区間９２０は第２サブフレーム階調信号のための区間で、第３区間９３０は第３サブフレーム階調信号のための区間である。区間９１０、９２０、９３０は、それぞれアドレッシング区間９１１、９２１、９３１と発光区間９１２、９２２、９３２とを含む。
【００９４】
各アドレッシング区間の開始は、サブフレーム開始パルスによって制御される。
【００９５】
まず、第１区間９１０が始まるためには、サブフレーム開始パルスがゲートドライバに入力される。ゲートドライバは、サブフレーム開始パルスが入力されると、第１行スキャン信号をピクセルアレイに提供する。第１行スキャン信号が提供されると、第１行のピクセルストレージ（ストレージキャパシタ）に「１１」に対応する第１サブフレーム階調信号が記録される。第１行のピクセルストレージに第１サブフレーム階調信号が記録された後、第１行スキャン信号はディセイブル状態になる。
【００９６】
第１行に対するアドレッシングが終わると、第２行に対するアドレッシングが始まる。ゲートドライバは、第２行スキャン信号をピクセルアレイに提供する。第２行スキャン信号が提供されると、第２行のピクセルストレージ（ストレージキャパシタ）に「００」に対応する第１サブフレーム階調信号が記録される。第２行のピクセルストレージに第１サブフレーム階調信号が記録された後、第２行スキャン信号はディセイブル状態になる。
【００９７】
第２行に対するアドレッシングが終わると、第３行に対するアドレッシングが始まる。ゲートドライバは、第３行スキャン信号をピクセルアレイに提供する。第３行スキャン信号が提供されると、第３行のピクセルストレージ（ストレージキャパシタ）に「０１」に対応する第１サブフレーム階調信号が記録される。第３行のピクセルストレージに第１サブフレーム階調信号が記録された後、第３行スキャン信号はディセイブル状態になる。
【００９８】
第３行に対するアドレッシングが終わると、第４行に対するアドレッシングが始まる。ゲートドライバは、第４行スキャン信号をピクセルアレイに提供する。第４行スキャン信号が提供されると、第４行のピクセルストレージ（ストレージキャパシタ）に「１０」に対応する第１サブフレーム階調信号が記録される。第４行のピクセルストレージに第１サブフレーム階調信号が記録された後、第４行スキャン信号はディセイブル状態になる
【００９９】
第１アドレッシング区間９１１が終わると、第１発光区間９１２が始まる。
【０１００】
第１乃至第４行のピクセルは、それぞれ「１１」、「００」、「０１」、及び「１０」の階調信号に対応する明るさで１６Ｔ間発光する。
【０１０１】
図９の実施例において、第１発光区間９１２は、第１乃至第４行のピクセルで同時に始まり、同時に終わるが、そうではない場合も可能である。例えば、第１行のアドレッシングが終わると、まだ第４行までアドレッシングが全部終わらない状態でも、第１行のピクセルは発光するようにすることができる。同様に、第２行のアドレッシングが終わると、まだ第４行までアドレッシングが全部終わらない状態でも、第２行のピクセルは発光するようにすることができる。この場合にも第１乃至第４行のピクセルは、それぞれ「１１」、「００」、「０１」、及び「１０」のサブフレーム階調信号に対応する明るさで１６Ｔ間発光する。これによって、第１行の発光区間は、第４行の発光区間より先に終わることになる。
【０１０２】
第１区間９１０が終わると、サブフレーム開始パルスが更にゲートドライバに入力され、第２サブフレーム階調信号による発光が行われる第２区間９２０が始まる。
【０１０３】
ゲートドライバは、サブフレーム開始パルスが入力されると、第１行スキャン信号をピクセルアレイに提供する。第１行スキャン信号が提供されると、第１行のピクセルストレージに「１１」に対応する第２サブフレーム階調信号が記録される。第１行のピクセルストレージに第２サブフレーム階調信号が記録された後、第１行スキャン信号はディセイブル状態になる。
【０１０４】
第１行に対するアドレッシングが終わると、第２行に対するアドレッシングが始まる。ゲートドライバは、第２行スキャン信号をピクセルアレイに提供する。第２行スキャン信号が提供されると、第２行のピクセルストレージ（ストレージキャパシタ）に「００」に対応する第２サブフレーム階調信号が記録される。第２行のピクセルストレージに第２サブフレーム階調信号が記録された後、第２行スキャン信号はディセイブル状態になる。
【０１０５】
第２行に対するアドレッシングが終わると、第３行に対するアドレッシングが始まる。ゲートドライバは、第３行スキャン信号をピクセルアレイに提供する。第３行スキャン信号が提供されると、第３行のピクセルストレージ（ストレージキャパシタ）に「００」に対応する第２サブフレーム階調信号が記録される。第３行のピクセルストレージに第２サブフレーム階調信号が記録された後、第３行スキャン信号はディセイブル状態になる。
【０１０６】
第３行に対するアドレッシングが終わると、第４行に対するアドレッシングが始まる。ゲートドライバは、第４行スキャン信号をピクセルアレイに提供する。第４行スキャン信号が提供されると、第４行のピクセルストレージ（ストレージキャパシタ）に「０１」に対応する第２サブフレーム階調信号が記録される。第４行のピクセルストレージに第２サブフレーム階調信号が記録された後、第４行スキャン信号はディセイブル状態になる。
【０１０７】
第２アドレッシング区間９２１が終わると、第２発光区間９２２が始まる。
【０１０８】
第１乃至第４行のピクセルは、それぞれ「１１」、「００」、「００」、及び「０１」のサブフレーム階調信号に対応される明るさで４Ｔ間発光する。
【０１０９】
第２区間９２０が終わると、サブフレーム開始パルスが更にゲートドライバに入力され、第３サブフレーム階調信号による発光が行われる第３区間９３０が始まる。
【０１１０】
ゲートドライバは、サブフレーム開始パルスが入力されると、第１行スキャン信号をピクセルアレイに提供する。第１行スキャン信号が提供されると、第１行のピクセルストレージに「１１」に対応する第１サブフレーム階調信号が記録される。第１行のピクセルストレージに第１サブフレーム階調信号が記録された後、第１行スキャン信号はディセイブル状態になる。
【０１１１】
第１行に対するアドレッシングが終わると、第２行に対するアドレッシングが始まる。ゲートドライバは、第２行スキャン信号をピクセルアレイに提供する。第２行スキャン信号が提供されると、第２行のピクセルストレージ（ストレージキャパシタ）に「１０」に対応する第３サブフレーム階調信号が記録される。第２行のピクセルストレージに第３サブフレーム階調信号が記録された後、第２行スキャン信号はディセイブル状態になる。
【０１１２】
第２行に対するアドレッシングが終わると、第３行に対するアドレッシングが始まる。ゲートドライバは、第３行スキャン信号をピクセルアレイに提供する。第３行スキャン信号が提供されると、第３行のピクセルストレージ（ストレージキャパシタ）に「１１」に対応する第３サブフレーム階調信号が記録される。第３行のピクセルストレージに第３サブフレーム階調信号が記録された後、第３行スキャン信号はディセイブル状態になる。
【０１１３】
第３行に対するアドレッシングが終わると、第４行に対するアドレッシングが始まる。ゲートドライバは、第４行スキャン信号をピクセルアレイに提供する。第４行スキャン信号が提供されると、第４行のピクセルストレージ（ストレージキャパシタ）に「０１」に対応する第３サブフレーム階調信号が記録される。第４行のピクセルストレージに第３サブフレーム階調信号が記録された後、第４行スキャン信号はディセイブル状態になる。
【０１１４】
第３アドレッシング区間９３１が終わると、第３発光区間９３２が始まる。
【０１１５】
第１乃至第４行のピクセルは、それぞれ「１１」、「１０」、「１１」、及び「００」のサブフレーム階調信号に対応する明るさで１Ｔ間発光する。
【０１１６】
以上で第１乃至第３区間９１０、９２０、９３０は、それぞれ第１サブフレーム階調信号と第２サブフレーム階調信号及び第３サブフレーム階調信号によって順次に発光したが、このような順序は変えることができる。
【０１１７】
図１０を参照すると、第１乃至第３区間１０１０、１０２０、１０３０は、それぞれ第１サブフレーム階調信号と第２サブフレーム階調信号及び第３サブフレーム階調信号によって逆順序に発光することができる。即ち、第１区間１０１０は第３サブフレーム階調信号によって１Ｔ間発光し、第２区間１０２０は第２サブフレーム階調信号によって４Ｔ間発光し、第３区間１０３０は第１サブフレーム階調信号によって１６Ｔ間発光する。
【０１１８】
具体的に説明すると、第１行のビデオデータは「１１１１１１」で、第２行のビデオデータは「００００１０」で、第３行のビデオデータは「０１００１１」で、第４行のビデオデータは「１００１００」である。
【０１１９】
第１行のビデオデータに対する第１乃至第３サブフレーム階調データは、いずれも「１１」である。第２行のビデオデータに対する第１乃至第３サブフレーム階調データは、それぞれ「００」と「００」及び「１０」である。第３行のビデオデータに対する第１乃至第３サブフレーム階調データは、それぞれ「０１」と「００」及び「１１」である。第４行のビデオデータに対する第１乃至第３サブフレーム階調データは、それぞれ「１０」と「０１」及び「００」である。区間１０１０、１０２０、１０３０は、それぞれアドレッシング区間１０１１、１０２１、１０３１と発光区間１０１２、１０２２、１０３２とを含む。第１区間１０１０は第３サブフレーム階調データによって発光し、第２区間１０２０は第２サブフレーム階調データによって発光し、第３区間１０３０は第１サブフレーム階調データによって発光する。
【０１２０】
各アドレッシング区間の開始は、サブフレーム開始パルスによって制御される。
【０１２１】
まず、第１区間１０１０が始まるためには、サブフレーム開始パルスがゲートドライバに入力される。ゲートドライバは、サブフレーム開始パルスが入力されると、第１行スキャン信号をピクセルアレイに提供する。第１行スキャン信号が提供されると、第１行のピクセルストレージ（ストレージキャパシタ）に「１１」に対応する第３サブフレーム階調信号が記録される。第１行のピクセルストレージに第３サブフレーム階調信号が記録された後、第１行スキャン信号はディセイブル状態になる。
【０１２２】
第１行に対するアドレッシングが終わると、第２行に対するアドレッシングが始まる。ゲートドライバは、第２行スキャン信号をピクセルアレイに提供する。第２行スキャン信号が提供されると、第２行のピクセルストレージ（ストレージキャパシタ）に「１０」に対応する第３サブフレーム階調信号が記録される。第２行のピクセルストレージに第３サブフレーム階調信号が記録された後、第２行スキャン信号はディセイブル状態になる。
【０１２３】
第２行に対するアドレッシングが終わると、第３行に対するアドレッシングが始まる。ゲートドライバは、第３行スキャン信号をピクセルアレイに提供する。第３行スキャン信号が提供されると、第３行のピクセルストレージ（ストレージキャパシタ）に「１１」に対応する第３サブフレーム階調信号が記録される。第３行のピクセルストレージに第３サブフレーム階調信号が記録された後、第３行スキャン信号はディセイブル状態になる。
【０１２４】
第３行に対するアドレッシングが終わると、第４行に対するアドレッシングが始まる。ゲートドライバは、第４行スキャン信号をピクセルアレイに提供する。第４行スキャン信号が提供されると、第４行のピクセルストレージ（ストレージキャパシタ）に「００」に対応する第３サブフレーム階調信号が記録される。第４行のピクセルストレージに第３サブフレーム階調信号が記録された後、第４行スキャン信号はディセイブル状態になる。
【０１２５】
第１アドレッシング区間１０１１が終わると、第１発光区間１０１２が始まる。
【０１２６】
第１乃至第４行のピクセルは、それぞれ「１１」、「１０」、「１１」、及び「００」の階調信号に対応される明るさで１Ｔ間発光する。
【０１２７】
図１０の実施例でも図９の実施例と同様に、第１発光区間１０１２は、第１乃至第４行のピクセルで同時に始まり、同時に終わるが、そうではない場合も可能である。例えば、第１行のアドレッシングが終わると、まだ第４行までアドレッシングが全部終わらない状態でも第１行のピクセルは発光するようにすることができる。同様に、第２行のアドレッシングが終わると、まだ第４行までアドレッシングが全部終わらない状態でも第２行のピクセルは発光するようにすることができる。
【０１２８】
第１区間１０１０が終わると、サブフレーム開始パルスが更にゲートドライバに入力され、第２サブフレーム階調信号による発光が行われる第２区間１０２０が始まる。
【０１２９】
ゲートドライバは、サブフレーム開始パルスが入力されると、第１行スキャン信号をピクセルアレイに提供する。第１行スキャン信号が提供されると、第１行のピクセルストレージに「１１」に対応する第２サブフレーム階調信号が記録される。第１行のピクセルストレージに第２サブフレーム階調信号が記録された後、第１行スキャン信号はディセイブル状態になる。
【０１３０】
第１行に対するアドレッシングが終わると、第２行に対するアドレッシングが始まる。ゲートドライバは、第２行スキャン信号をピクセルアレイに提供する。第２行スキャン信号が提供されると、第２行のピクセルストレージ（ストレージキャパシタ）に「００」に対応する第２サブフレーム階調信号が記録される。第２行のピクセルストレージに第２サブフレーム階調信号が記録された後、第２行スキャン信号はディセイブル状態になる。
【０１３１】
第２行に対するアドレッシングが終わると、第３行に対するアドレッシングが始まる。ゲートドライバは、第３行スキャン信号をピクセルアレイに提供する。第３行スキャン信号が提供されると、第３行のピクセルストレージ（ストレージキャパシタ）に「００」に対応する第２サブフレーム階調信号が記録される。第３行のピクセルストレージに第２サブフレーム階調信号が記録された後、第３行スキャン信号はディセイブル状態になる。
【０１３２】
第３行に対するアドレッシングが終わると、第４行に対するアドレッシングが始まる。ゲートドライバは、第４行スキャン信号をピクセルアレイに提供する。第４行スキャン信号が提供されると、第４行のピクセルストレージ（ストレージキャパシタ）に「０１」に対応する第２サブフレーム階調信号が記録される。第４行のピクセルストレージに第２サブフレーム階調信号が記録された後、第４行スキャン信号はディセイブル状態になる。
【０１３３】
第２アドレッシング区間１０２１が終わると、第２発光区間１０２２が始まる。
【０１３４】
第１乃至第４行のピクセルは、それぞれ「１１」、「００」、「００」、及び「０１」のサブフレーム階調信号に対応される明るさで４Ｔ間発光する。
【０１３５】
第２区間１０２０が終わると、サブフレーム開始パルスが更にゲートドライバに入力され、第３サブフレーム階調信号による発光が行われる第３区間１０３０が始まる。
【０１３６】
ゲートドライバは、サブフレーム開始パルスが入力されると、第１行スキャン信号をピクセルアレイに提供する。第１行スキャン信号が提供されると、第１行のピクセルストレージに「１１」に対応する第１サブフレーム階調信号が記録される。第１行のピクセルストレージに第１サブフレーム階調信号が記録された後、第１行スキャン信号はディセイブル状態になる。
【０１３７】
第１行に対するアドレッシングが終わると、第２行に対するアドレッシングが始まる。ゲートドライバは、第２行スキャン信号をピクセルアレイに提供する。第２行スキャン信号が提供されると、第２行のピクセルストレージ（ストレージキャパシタ）に「１０」に対応する第１サブフレーム階調信号が記録される。第２行のピクセルストレージに第１サブフレーム階調信号が記録された後、第２行スキャン信号はディセイブル状態になる。
【０１３８】
第２行に対するアドレッシングが終わると、第３行に対するアドレッシングが始まる。ゲートドライバは、第３行スキャン信号をピクセルアレイに提供する。第３行スキャン信号が提供されると、第３行のピクセルストレージ（ストレージキャパシタ）に「１１」に対応する第１サブフレーム階調信号が記録される。第３行のピクセルストレージに第１サブフレーム階調信号が記録された後、第３行スキャン信号はディセイブル状態になる。
【０１３９】
第３行に対するアドレッシングが終わると、第４行に対するアドレッシングが始まる。ゲートドライバは、第４行スキャン信号をピクセルアレイに提供する。第４行スキャン信号が提供されると、第４行のピクセルストレージ（ストレージキャパシタ）に「０１」に対応する第１サブフレーム階調信号が記録される。第４行のピクセルストレージに第１サブフレーム階調信号が記録された後、第４行スキャン信号はディセイブル状態になる。
【０１４０】
第３アドレッシング区間１０３１が終わると、第３発光区間１０３２が始まる。
【０１４１】
第１乃至第４行のピクセルは、それぞれ「１１」、「１０」、「１１」、及び「００」のサブフレーム階調信号に対応される明るさで１６Ｔ間発光する。
【０１４２】
図１１及び図１２は、非晶質シリコンパネルに使用される薄膜トランジスタの電流−電圧曲線の特性を示すグラフである。
【０１４３】
図１１を参照すると、有機発光ダイオードに流れる電流の大きさを４段階で調節するために、駆動トランジスタのゲートとソースとの間の電圧が５Ｖ、１０Ｖ、１５Ｖ、２０Ｖになるようにする。駆動トランジスタのゲートとソースとの間の電圧が５Ｖ、１０Ｖ、１５Ｖ、２０Ｖになるようにするために、データドライバはこれに対応する電圧レベルを有するサブフレーム階調信号をセルキャパシタに提供する。セルキャパシタの電圧によって駆動トランジスタのゲートとソースとの間の電圧が調節される。
【０１４４】
駆動トランジスタのドレインとソースとの間の電圧が２０Ｖで、ゲートとソースとの間の電圧が５Ｖ、１０Ｖ、１５Ｖ、２０Ｖである時、有機発光ダイオードに流れる電流は、それぞれ２μＡ、４μＡ、８μＡ、１６μＡになる。
【０１４５】
図１２を参照すると、駆動トランジスタのゲート電圧がしきい電圧に対して充分に大きい場合に、駆動トランジスタのゲート電圧と駆動トランジスタのドレイン電流の二乗根は、線形的に比例することがわかる。即ち、ドレイン電流は、ゲート電流の二乗に比例する。
【０１４６】
従って、駆動トランジスタのゲートと連結されたセルキャパシタの電圧を調節することにより、有機発光ダイオードに流れる電流を調節することができ、これによって有機発光ダイオードの明るさを調節することができる。
【０１４７】
図１３乃至図１６は、本発明の一実施例によって８ビットのビデオデータをサブフレーム階調データを利用して表現する多様な方法を示している。
【０１４８】
図１３を参照すると、１つのビデオデータを４つのサブフレームで表現する時に各サブフレーム階調データ値を示す。
【０１４９】
第１乃至第４サブフレーム階調データは、それぞれ４つの階調レベルを有する。従って、第１乃至第４サブフレーム階調データは、それぞれ２ビットで表現されることができる。この際、第１乃至第４サブフレームの区間の長さは、６４：１６：４：１になる。
【０１５０】
第１サブフレームの階調レベルが「０」である時に表現するビデオ階調データは「０」で、第１サブフレームの階調レベルが「１」である時に表現するビデオ階調データは「６４」で、第１サブフレームの階調レベルが「２」である時に表現するビデオ階調データは「１２８」で、第１サブフレームの階調レベルが「３」である時に表現するビデオ階調データは「１９２」になる。
【０１５１】
第２サブフレームの階調レベルが「０」である時に表現するビデオ階調データは「０」で、第２サブフレームの階調レベルが「１」である時に表現するビデオ階調データは「１６」で、第２サブフレームの階調レベルが「２」である時に表現するビデオ階調データは「３２」で、第２サブフレームの階調レベルが「３」である時に表現するビデオ階調データは「４８」になる。
【０１５２】
第３サブフレームの階調レベルが「０」である時に表現するビデオ階調データは「０」で、第３サブフレームの階調レベルが「１」である時に表現するビデオ階調データは「４」で、第３サブフレームの階調レベルが「２」である時に表現するビデオ階調データは「８」で、第３サブフレームの階調レベルが「３」である時に表現するビデオ階調データは「１２」になる。
【０１５３】
第４サブフレームの階調レベルが「０」である時に表現するビデオ階調データは「０」で、第４サブフレームの階調レベルが「１」である時に表現するビデオ階調データは「１」で、第４サブフレームの階調レベルが「２」である時に表現するビデオ階調データは「２」で、第４サブフレームの階調レベルが「３」である時に表現するビデオ階調データは「３」になる。
【０１５４】
例えば、階調レベルが「９０」であるビデオデータは、サブフレーム階調レベルが「１」である第１サブフレーム階調データと、サブフレーム階調レベルが「１」である第２サブフレーム階調データと、サブフレーム階調レベルが「２」である第３サブフレーム階調データとサブフレーム階調レベルが「２」である第４サブフレーム階調データとして表現することができる。
【０１５５】
図１４を参照すると、１つのビデオデータを３つのサブフレームで表現する時に各サブフレーム階調データ値を示す。
【０１５６】
第１及び第２サブフレーム階調データはそれぞれ８つの階調レベルを有し、第３サブフレーム階調データは４つの階調レベルを有する。従って、第１及び第２サブフレーム階調データはそれぞれ３ビットで表現され、第３サブフレーム階調データは２ビットで表現することができる。この際、第１乃至第３サブフレームの区間の長さは３２：４：１になる。
【０１５７】
第１サブフレームの階調レベルが「０」である時に表現するビデオ階調データは「０」で、第１サブフレームの階調レベルが「１」である時に表現するビデオ階調データは「３２」で、第１サブフレームの階調レベルが「２」である時に表現するビデオ階調データは「６４」で、第１サブフレームの階調レベルが「３」である時に表現するビデオ階調データは「９６」で、第１サブフレームの階調レベルが「４」である時に表現するビデオ階調データは「１２８」で、第１サブフレームの階調レベルが「５」である時に表現するビデオ階調データは「１６０」で、第１サブフレームの階調レベルが「６」である時に表現するビデオ階調データは「１９２」で、第１サブフレームの階調レベルが「７」である時に表現するビデオ階調データは「２２４」になる。
【０１５８】
第２サブフレームの階調レベルが「０」である時に表現するビデオ階調データは「０」で、第２サブフレームの階調レベルが「１」である時に表現するビデオ階調データは「４」で、第２サブフレームの階調レベルが「２」である時に表現するビデオ階調データは「８」で、第２サブフレームの階調レベルが「３」である時に表現するビデオ階調データは「１２」で、第２サブフレームの階調レベルが「４」である時に表現するビデオ階調データは「１６」で、第２サブフレームの階調レベルが「５」である時に表現するビデオ階調データは「２０」で、第２サブフレームの階調レベルが「６」である時に表現するビデオ階調データは「２４」で、第２サブフレームの階調レベルが「７」である時に表現するビデオ階調データは「２８」になる。
【０１５９】
第３サブフレームの階調レベルが「０」である時に表現するビデオ階調データは「０」で、第３サブフレームの階調レベルが「１」である時に表現するビデオ階調データは「１」で、第３サブフレームの階調レベルが「２」である時に表現するビデオ階調データは「２」で、第３サブフレームの階調レベルが「３」である時に表現するビデオ階調データは「３」で、第３サブフレームの階調レベルが「４」である時に表現するビデオ階調データは「４」になる。
【０１６０】
例えば、階調レベルが「１８３」であるビデオデータは、サブフレーム階調レベルが「５」である第１サブフレーム階調データと、サブフレーム階調レベルが「５」である第２サブフレーム階調データと、サブフレーム階調レベルが「３」である第３サブフレーム階調データとして表現することができる。
【０１６１】
図１５を参照すると、１つのビデオデータを３つのサブフレームで表現する時に各サブフレーム階調データ値を示す。
【０１６２】
第１乃至第３サブフレーム階調データは、それぞれ８つの階調レベルを有する。従って、第１乃至第３サブフレーム階調データは、それぞれ３ビットで表現される。一方、８ビットのビデオデータを大きさが３ビットである３つのサブフレーム階調データで表現する場合、１ビットが残ることになる。従って、ビデオデータ８ビットのうち、一番目の３ビットは第１サブフレーム階調データになり、その次の３ビットは第２サブフレーム階調データになり、最後の２ビットとダミービット１ビットが第３サブフレーム階調データになる。例えば、最下位ビット、即ち、ダミービット値は「０」に設定することができる。第１乃至第３サブフレームの区間の長さは３２：４：０．５になる。
【０１６３】
第１サブフレームの階調レベルが「０」である時に表現するビデオ階調データは「０」で、第１サブフレームの階調レベルが「１」である時に表現するビデオ階調データは「３２」で、第１サブフレームの階調レベルが「２」である時に表現するビデオ階調データは「６４」で、第１サブフレームの階調レベルが「３」である時に表現するビデオ階調データは「９６」で、第１サブフレームの階調レベルが「４」である時に表現するビデオ階調データは「１２８」で、第１サブフレームの階調レベルが「５」である時に表現するビデオ階調データは「１６０」で、第１サブフレームの階調レベルが「６」である時に表現するビデオ階調データは「１９２」で、第１サブフレームの階調レベルが「７」である時に表現するビデオ階調データは「２２４」になる。
【０１６４】
第２サブフレームの階調レベルが「０」である時に表現するビデオ階調データは「０」で、第２サブフレームの階調レベルが「１」である時に表現するビデオ階調データは「４」で、第２サブフレームの階調レベルが「２」である時に表現するビデオ階調データは「８」で、第２サブフレームの階調レベルが「３」である時に表現するビデオ階調データは「１２」で、第２サブフレームの階調レベルが「４」である時に表現するビデオ階調データは「１６」で、第２サブフレームの階調レベルが「５」である時に表現するビデオ階調データは「２０」で、第２サブフレームの階調レベルが「６」である時に表現するビデオ階調データは「２４」で、第２サブフレームの階調レベルが「７」である時に表現するビデオ階調データは「２８」になる。
【０１６５】
第３サブフレームの階調レベルが「０」である時に表現するビデオ階調データは「０」で、第３サブフレームの階調レベルが「１」である時に表現するビデオ階調データは「２」で、第３サブフレームの階調レベルが「２」である時に表現するビデオ階調データは「４」で、第３サブフレームの階調レベルが「３」である時に表現するビデオ階調データは「６」で、第３サブフレームの階調レベルが「４」である時に表現するビデオ階調データは「８」になる。
【０１６６】
例えば、階調レベルが「１８３」であるビデオデータは、サブフレーム階調レベルが「５」である第１サブフレーム階調データと、サブフレーム階調レベルが「５」である第２サブフレーム階調データと、サブフレーム階調レベルが「６」である第３サブフレーム階調データとして表現することができる。
【０１６７】
図１６を参照すると、１つのビデオデータを２つのサブフレームで表現する時の各サブフレーム階調データ値を示す。
【０１６８】
第１及び第２サブフレーム階調データは、それぞれ１６つの階調レベルを有し、従って、第１及び第２サブフレーム階調データはそれぞれ４ビットで表現される。この際、第１及び第２サブフレームの区間の長さは１６：１になる。
【０１６９】
第１サブフレームの階調レベルが「０」である時に表現するビデオ階調データは「０」で、第１サブフレームの階調レベルが「１」である時に表現するビデオ階調データは「１６」で、第１サブフレームの階調レベルが「２」である時に表現するビデオ階調データは「３２」で、第１サブフレームの階調レベルが「３」である時に表現するビデオ階調データは「４８」で、第１サブフレームの階調レベルが「４」である時に表現するビデオ階調データは「６４」で、第１サブフレームの階調レベルが「５」である時に表現するビデオ階調データは「８０」で、第１サブフレームの階調レベルが「６」である時に表現するビデオ階調データは「９６」で、第１サブフレームの階調レベルが「７」である時に表現するビデオ階調データは「１１２」で、第１サブフレームの階調レベルが「８」である時に表現するビデオ階調データは「１２８」で、第１サブフレームの階調レベルが「９」である時に表現するビデオ階調データは「１４４」で、第１サブフレームの階調レベルが「１０」である時に表現するビデオ階調データは「１６０」で、第１サブフレームの階調レベルが「１１」である時に表現するビデオ階調データは「１７６」で、第１サブフレームの階調レベルが「１２」である時に表現するビデオ階調データは「１９２」で、第１サブフレームの階調レベルが「１３」である時に表現するビデオ階調データは「２０８」で、第１サブフレームの階調レベルが「１４」である時に表現するビデオ階調データは「２２４」で、第１サブフレームの階調レベルが「１５」である時に表現するビデオ階調データは「２４０」になる。
【０１７０】
第２サブフレームの階調レベルが「０」である時に表現するビデオ階調データは「０」で、第２サブフレームの階調レベルが「１」である時に表現するビデオ階調データは「１」で、第２サブフレームの階調レベルが「２」である時に表現するビデオ階調データは「２」で、第２サブフレームの階調レベルが「３」である時に表現するビデオ階調データは「３」で、第２サブフレームの階調レベルが「４」である時に表現するビデオ階調データは「４」で、第２サブフレームの階調レベルが「５」である時に表現するビデオ階調データは「５」で、第２サブフレームの階調レベルが「６」である時に表現するビデオ階調データは「６」で、第２サブフレームの階調レベルが「７」である時に表現するビデオ階調データは「７」で、第２サブフレームの階調レベルが「８」である時に表現するビデオ階調データは「８」で、第２サブフレームの階調レベルが「９」である時に表現するビデオ階調データは「９」で、第２サブフレームの階調レベルが「１０」である時に表現するビデオ階調データは「１０」で、第２サブフレームの階調レベルが「１１」である時に表現するビデオ階調データは「１１」で、第２サブフレームの階調レベルが「１２」である時に表現するビデオ階調データは「１２」で、第２サブフレームの階調レベルが「１３」である時に表現するビデオ階調データは「１３」で、第２サブフレームの階調レベルが「１４」である時に表現するビデオ階調データは「１４」で、第２サブフレームの階調レベルが「１５」である時に表現するビデオ階調データは「１５」になる。
【０１７１】
例えば、階調レベルが「１８３」であるビデオデータは、サブフレーム階調レベルが「１１」である第１サブフレーム階調データと、サブフレーム階調レベルが「７」である第２サブフレーム階調データとして表現することができる。
【０１７２】
一方、前述したサブフレーム階調データが有する階調レベルの個数がＬビットで表現することができる２Ｌ（Ｌは、２以上の自然数）であるが、そうではない場合も可能である。例えば、サブフレーム階調データがＮ（Ｎは、３以上の自然数）個の階調レベルを有する場合については、図１７を参照して説明する。
【０１７３】
図１７を参照すると、ビデオデータを第１乃至第Ｍサブフレーム階調データで表現した場合を示している。図示されたように、第１サブフレーム階調データは、ＮＭ−１の倍数に該当するビデオ階調データを表現することができる。
【０１７４】
例えば、Ｎが３で、Ｍが２である場合に、第１サブフレーム階調データは「０」、「１」、及び「２」のうち、いずれか一つになることができ、第１サブフレーム階調データは「０」、「１」、及び「２」は、それぞれビデオ階調データ「０」、「３」、及び「６」を表現する。
【０１７５】
このようにサブフレーム階調データが有する階調レベルの個数が２Ｌ（Ｌは、２以上の自然数）ではない場合に、ビデオデータ階調データでサブフレーム階調データを生成するためのマッピングテーブルが必要であり得る。
【０１７６】
図１８は、本発明の一実施例によるサブフレーム階調信号によるディスプレイ装置の駆動過程を示す流れ図である。
【０１７７】
ディスプレイ装置がビデオデータを受信する（Ｓ１８１０）。一実施例において、ビデオデータはＲＧＢフォーマットを有することができる。
【０１７８】
ビデオデータが受信されると、ビデオデータを利用してサブフレーム階調データを生成し（Ｓ１８２０）、生成されたサブフレーム階調データを利用してサブフレーム階調信号を生成する（Ｓ１８３０）。一方、ビデオデータと共に伝達されたビデオ同期信号を利用して、各サブフレームのための開始パルスを生成する（Ｓ１８３０）。開始パルスは、各サブフレームの開始時点を知らせる。
【０１７９】
サブフレーム階調信号が生成された後、ピクセルアレイに一番目サブフレームの階調信号を記録する（Ｓ１８５０）。
【０１８０】
ピクセルアレイは、一番目階調信号によって発光する（Ｓ１８６０）。発光が終わると、現在サブフレームが終了されたかの可否を判断する（Ｓ１８７０）。現在サブフレームは、次ぎサブフレームのための開始パルスが提供されると、終了される。
【０１８１】
現在サブフレームがビデオデータに対する最後サブフレームであるかを判断し（Ｓ１８８０）、最後サブフレームが終了するまで段階Ｓ１８５０、Ｓ１８６０、Ｓ１８７０、及びＳ１８８０を反復する。
【０１８２】
ビデオデータに対する最後サブフレームが終了すると、段階Ｓ１８１０に戻る。
【０１８３】
以上の実施例において、ピクセルアレイは、有機発光ダイオード方式のピクセルアレイを中心と説明したが、ビデオデータをサブフレーム階調データに分けて、各サブフレーム階調データは、３つ以上の階調レベルを有する方式で駆動される他のディスプレイ装置、例えば、液晶表示装置等も当業者なら容易に発明することができる。従って、以上の実施例は、本発明の理解のために例示されたものである。
【産業上の利用可能性】
【０１８４】
本発明の実施例によるディスプレイ装置の駆動方法は、デジタル駆動方式の特性とアナログ駆動方式の特性をいずれも含んでいる。従って、このような駆動方式によって駆動されるディスプレイ装置は、ディスプレイパネル上の位置によるピクセルの特性の差異や時間が経過することにより変わるピクセルの特性変化に鈍感でありながらも、少ない個数のサブフレームで階調レベルを表現することができる。
【０１８５】
又、本発明の実施例によるディスプレイ装置は、従来のＴＲＧ方式に対して低い電力を消耗するという長所を有する。
【０１８６】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１８７】
【図１】従来のＴＲＧ（Ｔｉｍｅ  Ｒａｔｉｏ  Ｇｒａｙ−ｓｃａｌｅ）方式で駆動されるディスプレイ装置のピクセル構造を示す回路図である。
【図２】従来のＴＲＧ駆動方式を示す図である。
【図３】従来のＡＲＧ（Ａｒｅａ  Ｒａｔｉｏ  Ｇｒａｙ−ｓｃａｌｅ）方式で駆動されるディスプレイ装置のピクセルの構造を示す回路図である。
【図４】本発明の一実施例によるディスプレイ装置の構成を示すブロック図である。
【図５】本発明の一実施例によるデータドライバの構成を示すブロック図である。
【図６】本発明の一実施例によるゲートドライバの構成を示すブロック図である。
【図７】本発明の一実施例によるコントローラの構成を示すブロック図である。
【図８】本発明の一実施例によるピクセルアレイを構成するピクセルの構造を示す回路図である。
【図９】本発明の一実施例によるディスプレイ装置の駆動方式を示す図である。
【図１０】本発明の他の実施例によるディスプレイ装置の駆動方式を示す図である。
【図１１】非晶質シリコンパネルに使用される薄膜トランジスタの電流−電圧曲線の特性を示すグラフである。
【図１２】非晶質シリコンパネルに使用される薄膜トランジスタの電流−電圧曲線の特性を示すグラフである。
【図１３】本発明の一実施例による８ビットビデオデータの階調値を表現するための各サブフレームの階調値を示す表である。
【図１４】本発明の他の実施例による８ビットビデオデータの階調値を表現するための各サブフレームの階調値を示す表である。
【図１５】本発明の更に他の実施例による８ビットビデオデータの階調値を表現するための各サブフレームの階調値を示す表である。
【図１６】本発明の更に他の実施例による８ビットビデオデータの階調値を表現するための各サブフレームの階調値を示す表である。
【図１７】本発明の一実施例による各サブフレームが担当する発光比を示す表である。
【図１８】本発明の一実施例によるサブフレーム階調信号によるディスプレイ装置の駆動過程を示す流れ図である。
【符号の説明】
【０１８８】
４１０    コントローラ
４２０    データドライバ
４３０    ゲートドライバ
４４０    ピクセルアレイ
５１０    ラッチ回路
５１１    データラッチ
５１２    シフトレジスタ
５１３    ラインラッチ
５２０    デジタルアナログ変換機
５３０    出力バッファ
５４０    基準バイアス回路
６２０    レベルシフタ
【図１】
2007148400.tif 000003
【図２】
2007148400.tif 000004
【図３】
2007148400.tif 000005
【図４】
2007148400.tif 000006
【図５】
2007148400.tif 000007
【図６】
2007148400.tif 000008
【図７】
2007148400.tif 000009
【図８】
2007148400.tif 000010
【図９】
2007148400.tif 000011
【図１０】
2007148400.tif 000012
【図１１】
2007148400.tif 000013
【図１２】
2007148400.tif 000014
【図１３】
2007148400.tif 000015
【図１４】
2007148400.tif 000016
【図１５】
2007148400.tif 000017
【図１６】
2007148400.tif 000018
【図１７】
2007148400.tif 000019
【図１８】
2007148400.tif 000020